(57)【要約】【課題】地震や火災などによる停電によってＬＥＤに電力が供給されなくなった場合やＬＥＤ自身が故障した場合でも、一定時間視認可能にして、踏板先端部を容易に認識できる発光式踏板階段を提供する。【解決手段】ＬＥＤを１次発光源として外部から視認可能とされる発光部２が踏板１上面の先端部に備えられており、発光部２にはＬＥＤの発光エネルギーを蓄えて２次発光源として機能する蓄光材２１が設けられていることとする。【選択図】図１
2007262755.tif 000002
【特許請求の範囲】
【請求項１】
ＬＥＤを１次発光源として外部から視認可能とされる発光部が踏板上面の先端部に備えられており、発光部にはＬＥＤの発光エネルギーを蓄えて２次発光源として機能する蓄光材が設けられていることを特徴とする発光式踏板階段。
【請求項２】
ＬＥＤは、踏板底面に埋設され、このＬＥＤからの発光を外部に導くとともにその上端部が踏板上面に露出され蓄光材を含有してなる導光部を介して踏板上面と連通されており、発光部は、導光部の上端部であることを特徴とする請求項１に記載の発光式踏板階段。
【請求項３】
踏板上面と略面一になるように導光部を閉塞するライトカバーが導光部の上端部に配設されており、蓄光材はこのライトカバーに塗布されている、または、ライトカバーの構成成分に配合されていることを特徴とする請求項２に記載の発光式踏板階段。
【発明の詳細な説明】
【技術分野】
【０００１】
本願発明は、発光式踏板階段に関するものである。
【背景技術】
【０００２】
従来、階段部分にＬＥＤを設け、このＬＥＤの発光によって階段の視認性を高めた発光式階段が知られている（たとえば、特許文献１〜３参照）。
【特許文献１】特開２００１−１４７６５７号公報
【特許文献２】特開２００２−１３２６７号公報
【特許文献３】登実登−３１０９７０９号公報
【発明の開示】
【発明が解決しようとする課題】
【０００３】
以上の発光式階段は、暗がりでも階段段差を簡単に認識できるものであるが、そのためにはＬＥＤを絶えず発光させている必要があった。しかしながら、地震や火災などによる停電や電力供給ユニットの故障などによりＬＥＤに電力が供給されなくなった場合、あるいは、ＬＥＤ自身が故障した場合には、ＬＥＤを発光させることができなくなるため、暗がりで階段段差を認識することは困難となり、階段の利用は安全性の点で危険であった。
【０００４】
そこで、本願発明では、地震や火災などによる停電によってＬＥＤに電力が供給されなくなった場合やＬＥＤ自身が故障した場合でも、一定時間視認可能にして、踏板先端部を容易に認識できる発光式踏板階段を提供することを課題としている。
【課題を解決するための手段】
【０００５】
本願発明の発光式踏板階段は、前記の課題を解決するものとして、第１には、ＬＥＤを１次発光源として外部から視認可能とされる発光部が踏板上面の先端部に備えられており、発光部にはＬＥＤの発光エネルギーを蓄えて２次発光源として機能する蓄光材が設けられていることを特徴とする。
【０００６】
第２には、上記第１の発明において、ＬＥＤは、踏板底面に埋設され、このＬＥＤからの発光を外部に導くとともにその上端部が踏板上面に露出され蓄光材を含有してなる導光部を介して踏板上面と連通されており、発光部は、導光部の上端部であることを特徴とする。
【０００７】
また、第３には、上記第２の発明において、踏板上面と略面一になるように導光部を閉塞するライトカバーが導光部の上端部に配設されており、蓄光材はこのライトカバーに塗布されている、または、ライトカバーの構成成分に配合されていることを特徴とする。
【発明の効果】
【０００８】
上記第１の発明によれば、ＬＥＤを１次発光源として外部から視認可能とされる発光部が踏板上面の先端部に備えられており、発光部にはＬＥＤの発光エネルギーを蓄えて２次発光源として機能する蓄光材が設けられていることにより、地震や火災などによる停電や電力供給ユニットの故障などによりＬＥＤに電力が供給されなくなったとき、あるいは、ＬＥＤ自身が故障したときなどＬＥＤの発光が断たれた場合には、蓄光材の放光によって発光部が一定時間視認可能とされ、暗がりでも踏板先端部を容易に認識でき、戸惑うことなく階段を使用することができる。
【０００９】
上記第２の発明によれば、ＬＥＤは、踏板底面に埋設され、このＬＥＤからの発光を外部に導くとともにその上端部が踏板上面に露出され蓄光材を含有してなる導光部を介して踏板上面と連通されており、発光部は、導光部の上端部であることにより、ＬＥＤからの発光エネルギーを効率よく蓄光材に蓄えることができる。したがって、より効果的な蓄光材の放光を実現することができる。
【００１０】
上記第３の発明によれば、踏板上面と略面一になるように導光部を閉塞するライトカバーが導光部の上端部に配設されており、蓄光材はこのライトカバーに塗布されている、または、ライトカバーの構成成分に配合されていることにより、ＬＥＤからの発光エネルギーをさらに効率よく蓄光材に蓄えることができる。
【発明を実施するための最良の形態】
【００１１】
本願発明は上記のとおりの特徴をもつものであるが、以下に図面に沿ってその実施の形態について説明する。図１は本願発明の発光式踏板階段の斜視図である。
【００１２】
本願発明は、階段の視認性を促すために、ＬＥＤ（図１では図示なし）を１次発光源として外部から視認可能とされる発光部２を踏板１上面の先端部に備え、この発光部２に２次発光源として機能する蓄光材２１を設けている。たとえば、図１（ａ）では、踏板１の前端部１１近傍に発光部２を設け、（ｂ）では、踏板１の前端部１１の縁部分に発光部２を設けている。このように発光部２を踏板１上面の先端部に備えることによって、たとえば、人が階段を降りるときでも上がるときでも、発光部２を視認することができ、階段の踏板１先端部を認識することができる。
【００１３】
蓄光材２１は、ＬＥＤからの発光エネルギー、具体的には波長４５０ｎｍ以下の光を蓄えて（あるいは吸収して）放光する。したがって、１次発光源とするＬＥＤの発光が断たれた場合、たとえば、地震や火災などによる停電や電力供給ユニットの故障などによりＬＥＤに電力が供給されなくなったとき、あるいは、ＬＥＤ自身が故障したときなどの場合には、発光部２に設けられた２次発光源とする蓄光材２１の放光により、発光部２が視認可能とされ、暗がりでも踏板１先端部を容易に認識でき、戸惑うことなく階段を使用することができる。ここで、蓄光材２１はＬＥＤからの発光エネルギーを蓄えて放光するため、通常の使用状態では、ＬＥＤからの発光と蓄光材２１からの放光との両者によって発光部２が視認可能とされている。なお、ＬＥＤを１次発光源として外部から視認可能とされる発光部２は、ＬＥＤの可視光によって発光部２が視認可能とされていてもよいが、たとえば、蓄光材２１に発光エネルギーを吸収させやすいように後述する紫外ＬＥＤを１次発光源とするＬＥＤとして用いた場合、この紫外ＬＥＤの発光エネルギーを蓄えた２次発光源とする蓄光材２１により発光部２が視認可能とされていてもよい。
【００１４】
蓄光材２１は、上述のようにＬＥＤからの発光エネルギーを蓄えて放光するが、ＬＥＤ以外にも、たとえば、太陽光、照明光などからの紫外光を蓄えて放光する。この蓄光材２１は、従来公知のもの、市販されているものをはじめ各種のものが適宜に使用される。たとえば、アルミン酸ストロンチウムや希土類付活のアルミニウム、ストロンチウムなどの酸化物や複酸化物、その他各種の酸化物や、亜鉛、バリウム、ストロンチウムなどの硫化物、もしくはそれらの付活物質などを例示することができる。この蓄光材２１は、ＬＥＤの発光が断たれた場合、たとえば、５時間以上、さらには１０時間以上放光して一定時間視認可能とされる。
【００１５】
本願発明では、以上の蓄光材２１について、たとえば、発光部２に蓄光塗料として塗布したり、あるいは、発光部２を構成する成分中に蓄光材２１を配合することが考慮される。
【００１６】
本願発明におけるＬＥＤは、各種のものを用いることができるが、効率よく蓄光材２１に吸収させることを考慮すると、白色ＬＥＤ，青色ＬＥＤ、紫外ＬＥＤであることが好ましい。ＬＥＤの設置箇所は、ＬＥＤから発光される光が踏板１上面の先端部の発光部２から外部に向けて放光されるような位置に設置されている限りは特に制限されない。たとえば、踏板１の底面上に設置してもよいし、または底面に埋設するようにしてもよい。あるいは、蹴込み板５の裏面側に設置してもよい。
【００１７】
図２はＬＥＤを踏板底面に埋設させたときの発光式踏板階段の断面図である。図２（ａ）は踏板上面の前端部近傍に発光部を設けたときの断面図であり、図２（ｂ）は踏板上面の前端縁部分に発光部を設けたときの断面図である。この図では、ＬＥＤ３からの発光を外部に導いている筒状の導光部４を介してＬＥＤ３と踏板１上面とが連通されており、導光部４の上端部４１は踏板１上面に露出されている。そして、導光部４の上端部４１には、踏板１上面と略面一になるように導光部４を閉塞するライトカバー４２が導光部４の上端部４１に配設されている。導光部４の上端部４１に配設されたライトカバー４２には、蓄光塗料が塗布され、蓄光材２１を含む皮膜が形成されている。
【００１８】
このような構成の場合、ＬＥＤ３の発光が導光部４を介して導光部４の上端部４１のライトカバー４２から外部に放光するため、このライトカバー４２が外部から視認可能とされる発光部２として機能することになる。なお、導光部４の上端部４１にライトカバー４２が配設されることによって、ＬＥＤ３の発光が直接的に蓄光材２１に向けて照射されるようになるため、ＬＥＤ３から発光される発光エネルギーを効率よく蓄光材２１に蓄えることができる。したがって、ＬＥＤ３の発光が断たれた場合でも、より効果的な蓄光材２１の放光を実現することができ、暗がりでも踏板１先端部を容易に認識できるとともに、戸惑うことなく階段を使用することができる。なお、ＬＥＤ３に電力を供給するための導線３１は蹴込み板５の裏面側に配されており、外部から導線３１が見えないようにしている。これによって、発光式踏板階段の外観が損なわれないようにしている。
【００１９】
本願発明における導光部４は、以上のとおりＬＥＤ３からの発光を踏板１上面に導くためのものであり、その目的が満たされる限りは導光部４の形状は特に制限されるものでない。たとえば、形状としては、断面が円形、楕円系または矩形であってもよい。導光部４は、踏板１に貫通した孔として形成されてもよいし、各種の樹脂、金属などで構成される筒状体で形成されていてもよい。図２の例では、アクリル樹脂製の筒状体を導光部４として用いている。
【００２０】
以上のライトカバー４２は、透光性のものが用いられるが、ＬＥＤ３や蓄光材２１の放光で外部から視認可能とされるものであれば特に限定されるものではい。この図ではアクリル樹脂性のものを用いている。また、蓄光材２１は、以上のとおり、ライトカバー４２に蓄光塗料を塗布しているが、ライトカバー４２を構成する成分中に蓄光材２１を配合するようにしてもよい。
【００２１】
以上の例では、導光部４の上端部４１にライトカバー４２を配設しているが、特にライトカバー４２を配設せずに、導光部４の上端部４１に直接蓄光塗料を塗布して蓄光材２１を設けるようにしてもよい。あるいは、導光部４として柱状体で透光性を有するものを用い、その先端部分あるいは中間部分に蓄光材２１を設けて、踏板１上面の先端部の発光部２より蓄光材２１の放光が視認できるようにしてもよい。
【００２２】
本願発明の発光式踏板階段は、図３（ａ）のようなオープン階段をも対象としている。このオープン階段は、壁６に固定される側板７とこれに対向する反対側の桁８との間に踏板１が架け渡されている。なお、蹴込み板は設けていない。このような構造の場合には、たとえば、図３（ｂ）のようにＬＥＤ３を踏板１の底面に埋設して導線３１を側板７側に引き出すようにする。これによって、外観が損なわれないようにしている。
【図面の簡単な説明】
【００２３】
【図１】（ａ）（ｂ）は、本願発明の発光式踏板階段の斜視図である。
【図２】（ａ）（ｂ）は、本願発明の発光式踏板階段の一例を示した断面図である。
【図３】（ａ）（ｂ）は、本願発明のオープン階段の一例を示した模式図および要部拡大断面図である。
【符号の説明】
【００２４】
１  踏板
１１  前端部
２  発光部
２１  蓄光材
３  ＬＥＤ
３１  導線
４  導光部
４１  上端部
４２  ライトカバー
５  蹴込み板
６  壁
７  側板
８  桁
【図１】
2007262755.tif 000003
【図２】
2007262755.tif 000004
【図３】
2007262755.tif 000005